(57)【要約】【課題】ファシリテータ支援ができ、議論を進行させることを目的とする。【解決手段】操作手段、会議表示手段、通信回線、会議サーバ手段からなるｗｅｂ会議システムにおいて、ファシリテータおよび参加者からの投稿文の投稿時に、その内容に応じた要約が簡易表示され、ファシリテータからの投稿内容の意図を分かり易くするための絵、キャラクターマーク、文字、およびこれらを組み合わせたスタンプ情報を併記するスタンプ機能と、表示画面左側にファシリテータからの投稿文の要約、簡易表示、コメント投稿欄および時系列に沿った投稿コメント一覧を、画面右側に議論を支援する投稿状況、投稿ランキング、テーマを、それぞれ表示する領域区画表示機能と、を備えることを特徴とする。【選択図】図１
2018136597.tif 000002
【特許請求の範囲】
【請求項１】
操作手段、会議表示手段、通信回線、会議サーバ手段からなるｗｅｂ会議システムにおいて、
ファシリテータからの投稿文の投稿時に、その内容に応じた要約が簡易表示され、ファシリテータからの投稿内容の意図を分かり易くするための絵、キャラクターマーク、文字、およびこれらを組み合わせたスタンプ情報を併記するスタンプ機能と、表示画面左側にファシリテータからの投稿文の要約、簡易表示、コメント投稿欄および時系列に沿った投稿コメント一覧を、画面右側に議論を支援する投稿状況、投稿ランキング、テーマを、それぞれ表示する領域区画表示機能と、
を備えることを特徴とするｗｅｂ上での大規模議論におけるファシリテータ支援システム。
【請求項２】
前記表示画面に表示されたコメント投稿欄に、投稿への返信をするための、返信機能を配することにより、操作性を向上させ、議論進行させることを特徴とする請求項１記載のｗｅｂ上での大規模議論におけるファシリテータ支援システム。
【発明の詳細な説明】
【技術分野】
【０００１】
本発明は、ｗｅｂ上での大規模議論におけるファシリテータ支援システムに関する。
【背景技術】
【０００２】
近年、ワークショップ（以下、「ＷＳ」という。ファシリテータと呼ばれる司会進行役が、参加者が自発的に作業をする環境を整え、参加者全員が体験するものとして運営される。近年は企業研修や住民参加型まちづくりにおける合意形成の手法）が行われる領域が多岐に渡っている。しかし、ＷＳを実施できる人数や時間、場所が限定されており、合意形成に多大な時間と労力を要している。一方で、ｗｅｂ技術の発達により、時間的・空間的に離れたユーザが情報を共有できるｗｅｂシステムが生まれてきた。
【０００３】
また、会議を支援するシステムとしては、参加者（投稿者）の問題提起に対し第三者の賛否意見を対峙させながら、最終的に討論の結論まで導き出すことが可能な討論型ウェブ投稿システム（特許文献１参照）、会議で議論されていない関連トピック等、議論が発展するようなトピックをユーザに提示する会議支援装置（特許文献２参照）があった。
【０００４】
また、評価スタンプ情報を利用するシステムとしては、感情の種類およびレベルに関連づけられた評価スタンプを、コンテンツ視聴者が使用して投稿することにより、そのコンテンツが、視聴者のどのような感情によって注目されたものであるかを検出するコンテンツ供給システム（特許文献３）があった。
【先行技術文献】
【特許文献】
【０００５】
【特許文献１】特開２０１４−５６４３３号公報
【特許文献２】特開２０１５−１５６０９９号公報
【特許文献３】特開２０１４−２３５５３３号公報
【発明の概要】
【発明が解決しようとする課題】
【０００６】
しかしながら、特許文献１は、問題・賛成・反対を表示するものであり、特許文献２は、トピック・議論・音声データをマインドマップに表示するものであり、特許文献３は、評価スタンプにて感情データを投稿するものであり、いずれもファシリテータおよび参加者（投稿者）の投稿文を要約して簡易表示すると共に絵、キャラクターマーク、文字、およびこれらを組み合わせたスタンプ（情報）を併用するものではなく、ファシリテータからの投稿内容を分かり易くし、ファシリテータの意図（意向）が伝わり易くする配慮がなされておらず、ファシリテータ支援するものではなかった。
【０００７】
また、本発明者らは、２０１２年から現在にかけて、ｗｅｂ技術を活用し、議論を支援する合意形成支援システム（以下、既支援システム）の開発および検証を行ってきた。検証結果より、この既支援システムを用いたＷＳ（ワークショップ）において、十分なファシリテータ支援ができていないことが判明した。
【課題を解決するための手段】
【０００８】
上記の課題を解決するため、本発明に係るｗｅｂ上での大規模議論におけるファシリテータ支援システムは、操作手段、会議表示手段、通信回線、会議サーバ手段からなるｗｅｂ会議システムにおいて、ファシリテータからの投稿文の投稿時に、その内容に応じた要約が簡易表示され、ファシリテータからの投稿内容の意図を分かり易くするための絵、キャラクターマーク、文字、およびこれらを組み合わせたスタンプ情報を併記するスタンプ機能と、表示画面左側にファシリテータからの投稿文の要約、簡易表示、コメント投稿欄および時系列に沿った投稿コメント一覧を、画面右側に議論を支援する投稿状況、投稿ランキング、テーマを、それぞれ表示する領域区画表示機能と、を備えることを特徴とする。
【０００９】
または、前記表示画面に表示されたコメント投稿欄に、投稿への返信をするための、返信機能を配することにより、操作性を向上させ、議論進行させることを特徴とする。
【発明の効果】
【００１０】
本発明によれば、ファシリテータからの投稿文の投稿時に、その内容に応じた要約を簡易表示し、参加者に提示し、ファシリテータからの投稿内容の意図を分かり易くするための絵、キャラクターマーク、文字、およびこれらを組み合わせたスタンプ情報を併記するため、ファシリテータからの投稿内容の意図（意向）を参加者に分かり易くすることにより、ファシリテータ支援ができ、議論を進行（進展）させることができる。
【図面の簡単な説明】
【００１１】
【図１】本発明に係るｗｅｂ上での大規模議論におけるファシリテータ支援システムの全体構成を示すブロック図である。
【図２】同、表示画像を示す図である。
【図３】同、各表示部、操作部を示す拡大図である。
【図４】同、表示装置の三面図であり、（ａ）は平面図、（ｂ）は正面図、（ｃ）は右側面図である。
【図５】同、スタンプの選択画像を示す拡大図である。
【図６】同、表示装置の使用状態を示す拡大正面図であり、（ａ）は画面に上部領域画像が表示された状態を示し、（ｂ）は画面を下方にスクロールした状態を示す。
【図７】別の表示装置を示す三面図であり、（ａ）は平面図、（ｂ）は正面図、（ｃ）は右側面図である。
【発明を実施するための形態】
【００１２】
ファシリテータ支援する目的を、スタンプ機能により、ファシリテータからの投稿文の投稿時に、その内容に応じた要約を簡易表示し、それぞれの意図（意思）を分かり易くするためのスタンプ情報を併記し、領域区画表示機能により、表示画面を見易くすること、で実現した。
【実施例１】
【００１３】
以下、本発明を実施するための形態について、図面を参照して詳説する。
図１は、本発明に係るｗｅｂ上での大規模議論におけるファシリテータ支援システムの全体構成を示すブロック図である。
【００１４】
本システムは、操作手段１０と、会議表示手段１６と、通信回線２６と、会議サーバ手段３０と、から構成される。
【００１５】
まず、操作手段１０は、会議表示手段１６により表示された表示画面上で操作するための手段であり、操作部１２と送信部１４とを備える。
【００１６】
操作部１２は、参加者による操作入力に応じた情報を送信部１４に出力する。操作部１２は、例えば、決定ボタン、戻るボタン、メニューボタン、および方向ボタン、等を備える。
【００１７】
参加者は、操作手段１０の操作部１２により、後述の表示装置２８の画面に表示されたカーソルを、操作することができる。また、ファシリテータは、会議表示手段１６を介して会議サーバ手段３０に、スタンプ機能から送信され、スタンプ取得部２４にて表示された投稿スタンプ（絵、キャラクターマーク、文字、およびこれらを組み合わせたスタンプ情報画像）群から選択し、投稿することができる。この投稿スタンプ情報は、ファシリテータからの投稿文の投稿時に、その内容に応じた要約を簡易表示させ、ファシリテータからの投稿内容の意図を分かり易くするための絵、キャラクターマーク、文字、およびこれらを組み合わせたスタンプ情報を併記するための画像データである。また、ファシリテータは、操作手段１０により、感情表現を表す言葉を含むスタンプ画像を投稿することができ、さらに、自らを示すアイコン画像を選択することもできる。
【００１８】
送信部１４は、操作部１２からの情報を、会議表示手段１６の通信部１８から通信回線２６を介して会議サーバ手段３０へ送信する。
【００１９】
会議表示手段１６は、通信部１８と、会議表示部２０と、記憶部２２と、スタンプ取得部２４と、を備える。
【００２０】
通信部１８は、操作手段１０の送信部１４からの情報を受信し、その情報が、会議表示部２０を介して、表示画面に表示される。
また、通信部１８は、推奨議論データの内容、属性を示す関連情報と、当該推奨議論データに対する投稿情報とを、通信回線２６を介して、会議サーバ手段３０の会議支援機能から受信する。本例において、議論データは、投稿スタンプ情報を含むデータである。
【００２１】
さらに、通信部１８は、表示画面から入力された所定の情報を、会議サーバ手段３０へ送信する。当該情報は、例えば、投稿スタンプ情報の送信を要求するための送信要求情報、推奨議論データを要求するための推奨議論要求情報、および参加者を特定する識別情報である。また、当該情報は、会議表示部２０が提示する議論データに応じてスタンプ取得部２４にて取得された、投稿文の要約、簡易表示情報およびそれに関係付けられた投稿スタンプ情報、当該会議データにおける日付時刻情報である。つまり、通信部１８は、投稿スタンプ情報を送受信する機能を有している。
【００２２】
記憶部２２は、各種情報、例えば、投稿スタンプ情報、アイコン画像情報、投稿情報、およびファシリテータからの投稿文の投稿時に、その内容に応じて要約された簡易表示情報、を記憶する。また、会議サーバ手段３０から要求された当該各種情報を、表示画面に表示する。
【００２３】
表示装置２８には、ファシリテータからの投稿文を要約した簡易表示情報、投稿スタンプ情報と、会議サーバ手段３０より受信した投稿数、投稿ランキングを示す情報、等が表示される。詳説すると、領域区画表示機能により、表示画面左側にファシリテータからの投稿文を要約した簡易表示情報、コメント投稿欄および時系列に沿った投稿コメント一覧が、画面右側に議論を支援する投稿状況、投稿ランキング、テーマが、それぞれ表示される。
【００２４】
会議表示部２０から、返信機能（ボタン）により返信情報が入力された場合、会議サーバ手段３０が提供中の議論をスキップし、参加者の投稿文、コメントを、通信部１８から会議サーバ手段３０へ送信する。
【００２５】
図２に示すように、表示装置２８には、会議表示部２０、領域区分表示機能の制御に基づき、会議支援情報および投稿スタンプ情報を含む画像（例えば、キャラクターマーク画像、文字画像およびこれらを組み合わせた画像）、アイコン画像、議論情報に基づくコメント画像が、画面左側に表示され、会議進行データにおける議論内容ごとに定められた賛成（賛同）投稿数、投稿ランキングが、画面右側に表示される。
【００２６】
スタンプ取得部２４は、会議表示手段１６が提示する会議情報に応じて、ファシリテータからの投稿文の投稿時に、その投稿内容に応じた要約を、簡易表示し、各投稿に関係付けられた投稿スタンプ情報を当該会議情報における日付時刻情報とともに取得する。
【００２７】
操作手段１０、会議表示手段１６、および表示装置２８の構成を含む器機としては、ＰＣ、タブレットＰＣ、スマートフォン、等の電子機器であればよく、通信回線２６を介して、会議サーバ手段３０と通信する。
【００２８】
さらに、会議サーバ手段３０は、操作入力に応じた会議の内容を示す情報を生成し、会議表示手段１６は、その会議内容情報に基づいて、その画像を表示装置２８に表示させる。
【００２９】
ここで、絵、キャラクターマーク、文字およびこれらを組み合わせたスタンプ情報は、表示装置２８を操作するファシリテータによって、会議サーバ手段３０に対して、日付時刻情報とともに投稿された画像情報である。このスタンプ情報は、日付時刻情報とともに画面左側の表示領域に表示される。
【００３０】
会議表示画像に合わせて、投稿機能（ボタン）が操作された場合、会議表示手段１６は、投稿スタンプ画像が未選択であるか否かを判定する。スタンプ画像が選択されている場合（Ｙｅｓ）、スタンプ選択画像を、表示装置２８に表示させる。一方、スタンプ画像が選択されていない場合（Ｎｏ）、スタンプ画像が選択されてない旨を、表示装置２８に表示させる。
【００３１】
次に、会議サーバ手段３０について説明する。
会議サーバ手段３０は、設定部３２、会議提供部３４、記憶部３６と、スタンプ機能であるスタンプ情報受信部３８、スタンプ情報記憶部４０、投稿文要約簡易表示部４２と、領域区分表示機能と、会議支援機能と、を備える。
【００３２】
記憶部３６は、会議情報を記憶する。当該情報は、例えば、スタンプ画像情報、アイコン画像情報、コメント画像情報、スタンプ選択画像情報、スタンプ履歴選択情報、およびプログラム情報、等である。また、会議データを特定する識別情報、および参加者を特定する識別情報を記憶してもよい。記憶部３６は、会議提供部３４から要求された当該情報を、出力する。
【００３３】
設定部３２は、会議の進行を分割し、会議の内容に応じて会議データにチャプタを設定することもできる。
【００３４】
設定部３２は、会議データのチャプタごとに投稿数を集計することができる。ここで、投稿数は、投稿スタンプ数、賛成（賛同）数である。
【００３５】
会議提供部３４は、会議データ、投稿数と、スタンプ機能により作成されたファシリテータからの投稿文を要約した簡易表示情報と、を提供する。具体的には、会議データと、投稿数、スタンプ機能により作成されたファシリテータからの投稿文を要約した簡易表示情報と、を会議表示手段１６へ送信する。さらに、投稿スタンプ画像情報と、参加者の電子機器から投稿されたスタンプ情報、コメント情報に基づくコメント画像情報とを、会議表示手段１６へ送信する。
【００３６】
チャプタの生成手順としては、設定部３２は、会議データの経過時間を、会議データのチャプタとして定める。チャプタ（等分された時間帯）ごとの投稿数を検出し、賛成（賛同）数、投稿ランキング、チャプタ順位付けをする。
【００３７】
スタンプ情報受信部３８は、ファシリテータからの投稿、それぞれの議論の理解度に関係付けられた投稿スタンプ情報、各投稿文を要約した簡易表示情報および会議データにおける日付時刻情報を、通信回線２６を介して会議表示手段１６から受信する。ファシリテータの意図は、スタンプが表す感情情報から参加者が直観的に判定する。
【００３８】
日付時刻情報は、例えば、月：日：時：分：秒である。
【００３９】
スタンプ情報受信部３８は、受信した投稿スタンプ情報、ファシリテータの議論の理解度情報および日付時刻情報を、記憶部３２へ供給する。
【００４０】
会議提供部３４は、スタンプ情報受信部３８が受信した投稿スタンプ情報、ファシリテータの議論の理解度情報および日付時刻情報を取り込み、会議データごとに、投稿スタンプ情報、理解度情報および日付時刻情報を集計して当該会議データに対する情報を生成する。
【００４１】
ここで、会議提供部３４が生成する投稿スタンプ情報、ファシリテータの議論の理解度情報によれば、会議データに対する投稿、理解度をオンタイムで把握することができる。
【００４２】
スタンプ情報記憶部４０は、投稿スタンプ情報、ファシリテータの議論の理解度情報と、この情報に関連付けられた会議情報とを記憶する。
【００４３】
会議支援機能は、会議提供部３４からの推奨会議情報に応じて、スタンプ情報記憶部４０に記憶された情報に基づき、一または複数の会議データを選定する。推奨会議情報には、ファシリテータの議論の理解度が指定される。
【００４４】
会議提供部３４は、会議支援機能により選定した一または複数の会議データに関する関連情報を記憶部３６から読み込み、この関連情報、ファシリテータの議論の理解度を、通信回線２６を介して、ファシリテータおよび参加者の各電子器機の会議表示手段１６へ送信する。
【００４５】
図４、５に、会議表示手段１６により表示装置２８に表示させる、投稿スタンプ情報、投稿スタンプ選択領域、会議情報画像を示してある。図４に示すように、スタンプ選択領域は、表示画面左側に表示される。スタンプ選択画像は、図５に示すように、複数のキャラクターマーク画像と、複数の文字、コメント画像とが含まれている。会議サーバ手段３０の記憶部３６は、各投稿スタンプ画像の情報、ファシリテータの議論の理解度を関係付けた投稿スタンプ情報を記憶する。
【００４６】
以上説明したとおり、本例における会議サーバ手段３０は、スタンプ機能により生成されたスタンプ情報、ファシリテータからの投稿文を要約した簡易表示情報、議論の理解度情報に関係付けられた投稿スタンプ情報と、会議データにおける日付時刻情報とを受信するスタンプ情報受信部３８を備える。また、会議データごとに、スタンプ情報受信部３８が受信した投稿スタンプ情報、参加者の議論の理解度情報、日付時刻情報、を集計して当該会議データに対する投稿数、理解度、進捗、等の情報を生成する会議支援機能を備える。さらに、会議支援機能が生成した会議情報を記憶する記憶部３６を備える。
【００４７】
このように、会議サーバ手段３０は、参加者の投稿スタンプ情報、投稿数、投稿内容に基づき、会議データごとの、日付時刻情報が示す特定の日付時刻における参加者の議題に対する期待度、ファシリテータの議論の理解度、の情報を、集計し、各種情報を生成することができる。
【実施例２】
【００４８】
図７に、表示装置２８の別の例が示してある。
本例は、表示装置２８をスマートフォンとしたこと以外は、実施例１と同様であり、説明は省略する。
【００４９】
なお、会議支援機能は、スタンプ情報受信部３８が供給する投稿スタンプ情報、ファシリテータの議論の理解度情報および日付時刻情報を取り込み、会議データのチャプタごとに、投稿スタンプ情報、議論の理解度および日付時刻情報を集計して当該チャプタに対する期待度、理解度の各情報を生成してもよい。
【００５０】
両例によれば、会議の参加者は、当該会議への参加中に、ファシリテータからの投稿文を要約した簡易表示を見て、そのときの議論の理解度、好感度に応じて、投稿することができる。
【００５１】
また、両例の会議サーバ手段３０の一部の機能をＰＣ、ＡＩで実現するようにしてもよい。この場合、その制御機能を実現するための会議進行プログラムをコンピュータシステムに読み込ませて、実行することにより、実現してもよい。また、本ファシリテータ支援システムは、前述した機能の一部を実現するものであってもよく、さらに、前記機能をコンピュータシステムにすでに記録されているプログラムと組み合わせて実現するものであってもよい。
【００５２】
以上、本発明の実施形態について図面を参照して詳述したが、具体的な構成は両例に限られるものではなく、本発明の要旨を逸脱しない範囲の設計等も含まれる。
【産業上の利用可能性】
【００５３】
本発明により、会議を進行するファシリテータ支援するものであるが、コンテンツの人気投票、各種アンケート支援システムとしても利用可能である。
【符号の説明】
【００５４】
１０  操作手段
１６  会議表示手段
２６  通信回線
２８  表示装置
３０  会議サーバ手段
【図１】
2018136597.tif 000003
【図２】
2018136597.tif 000004
【図３】
2018136597.tif 000005
【図４】
2018136597.tif 000006
【図５】
2018136597.tif 000007
【図６】
2018136597.tif 000008
【図７】
2018136597.tif 000009